(57)【要約】【課題】縦長直方体状の筐体で構成される床置き形の空気調和機では、通常、設置場所への運搬が必要であるが、箱形状に構成されており、運搬時に持ち運びにくい形状となっていた。【解決手段】箱状の筐体１を備えていて、前記箱状の筐体１内にシロッコファン２、熱交換器３、水受け皿６を収納し箱状の筐体１の背面を構成する外装後板４の上方部において筐体１の前面側に向かって凸状になるように形成した窪み部５を形成する構成とする。【選択図】  図１
2005009816.tif 000002
【特許請求の範囲】
【請求項１】
箱状の筐体を備えていて、前記箱状の筐体の内部下方に送風手段と、前記箱状の筐体の内部上方に熱交換器を配設した床置き形の空気調和機であって、前記筐体の背面を構成する外装後板の上方部において前記筐体の前面側に向かって凸状になるように形成した窪み部を形成したことを特徴とする空気調和機。
【請求項２】
窪み部は、少なくとも熱交換器の上端部を固定する熱交換器固定部を形成してなることを特徴とする請求項１記載の空気調和機。
【請求項３】
窪み部は、熱交換器の上端部の背面または上面の少なくとも一方の面に沿って形成されていることを特徴とする請求項２記載の空気調和機。
【請求項４】
窪み部は、背面側上端部に下方に向かって凸状となる形状を有する引っ掛け部を構成してなることを特徴とする請求項１から３のいずれか１項に記載の空気調和機。
【発明の詳細な説明】
【０００１】
【発明の属する技術分野】
本発明は、床置き形の空気調和機に関するものである。
【０００２】
【従来の技術】
従来、床置き形の空気調和機の室内機は、図９に示すように箱状の筐体２１を備えていて、前記箱状の筐体２１内の下方に送風手段２２を前記箱状の筐体２１内の上方に平板状の熱交換器２３を配置して構成されている。そしてこのような筐体２１は略直方体形状で構成されており、その背面を構成する外装後板２４は、通常加工ならびに組立がしやすいように平板状に形成されていて、その側面は外装側板２５と、また上面は外装上面板２６にそれぞれ固定されている。
【０００３】
また、上記のように平板状の熱交換器２３を図９に示すように上方が筐体２１内の背面側に、下方が筐体２１内の前面側になるように傾斜して配置され、熱交換器２３の下方部は水受け皿２７に凝縮水が流れ込むようにして外装側板２５に対して固定され、熱交換器２３の上方部は図１０に示すように補助部品２８を介して外装後板２４に取付傾斜板２９、ビス３０を使用して固定されている（例えば特許文献１参照）。
【０００４】
しかしながら、上記のような縦長直方体状の筐体２１で構成される床置き形の空気調和機では、通常、設置場所への運搬が必要であるが、箱形状に構成されているので、運搬時に持ち運びにくい問題点があった。
【０００５】
【特許文献１】
特開平１１−３１１４４５号公報
【０００６】
【発明が解決しようとする課題】
上記するこのような従来の問題点に鑑み、本発明が解決しようとする課題は、運搬性がよく、しかも意匠性も損なわない、床置き形の空気調和機を提供することにある。
【０００７】
【課題を解決するための手段】
上記課題を解決するために本発明は、箱状の筐体を備えていて、前記箱状の筐体の内部下方に送風手段と、前記箱状の筐体の内部上方に熱交換器を配設した床置き形の空気調和機であって、前記筐体の背面を構成する外装後板の上方部において前記筐体の前面側に向かって凸状になるように形成した窪み部を形成したものである。
【０００８】
そして上記窪み部に手をかけることによって、運搬操作がし易く、かつ筐体の前面側に向かって凸状になる窪み部を空気調和機本体の外装後板に配設することで壁等に外装後板を向けて筐体を設置して窪み部が外視できない位置とするため意匠性も損なわない、床置き形の空気調和機が得られる。
【０００９】
また、窪み部は筐体内の熱交換器の上端部を固定する固定部としたり、また熱交換器の上端部の背面または上面の少なくとも一方の面に沿うように構成したり、窪み部内に引っ掛け部を構成したりすることによって熱交換器を筐体内の所定位置に固定したり、窪み部内の引っ掛け部に指を引っ掛けることによる操作性を良くするなどの効果を奏することができる。
【００１０】
【発明の実施の形態】
本発明の目的は各請求項に記載した構成を実施の形態の要部とすることにより達成出来るので以下には本発明の具体的な実施の形態について図面を参照して説明する。
【００１１】
（実施の形態１）
図１において、１は箱状の筐体で、内部に送風手段であるシロッコファン２、熱交換器３をそれぞれ配設し、筐体１の背面には外装後板４を取付ける。そして外装後板４の上方部には筐体１の前面側に向けて凸状になる様に窪み部５を特設する。６は熱交換器３の除湿水を集める水受け皿で熱交換器３の下端に設けられたものである。
【００１２】
図２は本実施の形態１の外装後板４を示す斜視図である。
【００１３】
図２のような平板の一部をコの字状に一方に突出するように折り曲げて窪み部５を形成した外装後板４を筐体１と組み合わせて外装を形成し、さらに内部にシロッコファン２、熱交換器３、水受け皿６などを収納する簡単な構成で、前記窪み部５に手の指をかけて安全確実に運搬ができ、外装後板４は空気調和機の設置時に壁方向を向くため、外装後板４に設けた窪み部５は外視することがなく意匠性も損なわない、床置き形の空気調和機が得られる。
【００１４】
（実施の形態２）
図３において、７は熱交換器３の上部固定板、８は上部固定板７の固定用ビスである。この実施の形態２の外装後板４の窪み部５に上部固定板７を介して熱交換器３が固定用ビス８等により固定するものである。
【００１５】
そして、この実施の形態によれば、熱交換器３を外装後板４の窪み部５に固定板７を介して固定することができるので、熱交換器３を固定するために外装後板４に従来例の図１０に示すような特殊な補助部品２８が必要でなくなり、コストダウンができるものである。
【００１６】
（実施の形態３）
図４においては、９は熱交換器３の側方の風漏れ防止と固定を兼ねた端板である。図５は、この実施例の背面窪み部５の断面図である。図６は熱交換器３、端板９、固定用ビス８の組み立て図である。図５のように外装後板４には熱交換器３の背面に沿った部分が形成されているので前記端板９を直接外装後板４に固定用ビス８等を使い固定できるものである。
【００１７】
そして、この実施の形態によれば、熱交換器３の端板９で外装後板４の窪み部５に固定することができるもので、実施の形態２において図３に示す上部固定板７等の部品が不要になりコストダウンができるものである。
【００１８】
（実施の形態４）
図７においては、１０は外装後板４の窪み部５の上端部に下方に凸となる形状を有する引っ掛け部である。図８はこの実施の形態の背面窪み部５の断面図である。この引っ掛け部１０に手の指をかけて運搬すれば、更に運搬性が向上するものである。
【００１９】
そして、この実施の形態によれば、特別な部品が不要で大幅に運搬性能が向上するものである。
【００２０】
【発明の効果】
上記から明らかなように、本発明は、箱状の筐体を備えていて、前記箱状の筐体の内部下方に送風手段と、前記箱状の筐体の内部上方に熱交換器を配設した床置き形の空気調和機であって、前記筐体の背面を構成する外装後板の上方部において前記筐体の前面側に向かって凸状になるように形成した窪み部を形成したもので、この構成によれば、運搬性がよく、しかも意匠性も損なわないという効果を奏する。
【００２１】
また、本発明の窪み部は、少なくとも熱交換器の上端部を固定する熱交換器固定部を形成するもので、この構成によれば、コストダウンを図りながら運搬性がよく、しかも意匠性も損なわないという効果を奏する。
【００２２】
また、本発明の窪み部は、熱交換器上端部の背面または上面の少なくとも一方の面に沿って形成されており熱交換器を直接窪み部に固定できるので、この構成によれば、大幅なコストダウンができ、運搬性、意匠性も損なわないという効果を奏する。
【００２３】
また、本発明の窪み部は、背面側上端部に下方に向かって凸状となる形状を有する引っ掛け部を構成したもので、運搬性の大幅な向上ができると共に意匠性も損なわないという効果を奏する。
【図面の簡単な説明】
【図１】本発明の実施の形態１における床置き形の空気調和機の斜視図
【図２】同実施の形態１における窪み部を示す外装後板の斜視図
【図３】本発明の実施の形態２における床置き形の空気調和機の外装後板の要部断面図
【図４】本発明の実施の形態３における床置き形の空気調和機の斜視図
【図５】同実施の形態３における窪み部の要部断面図
【図６】同実施の形態３における筐体内部の要部正面図
【図７】本発明の実施の形態４における床置き形の空気調和機の斜視図
【図８】同実施の形態４における窪み部の要部断面図
【図９】従来の床置き形の空気調和機の斜視図
【図１０】従来の床置き形の空気調和機の熱交換器の上部固定部分の要部断面図
【符号の説明】
１  筐体
２  シロッコファン（送風手段）
３  熱交換器
４  外装後板
５  窪み部
６  水受け皿
７  上部固定板
８  固定用ビス
９  端板
１０  引っ掛け部
【図１】
2005009816.tif 000003
【図２】
2005009816.tif 000004
【図３】
2005009816.tif 000005
【図４】
2005009816.tif 000006
【図５】
2005009816.tif 000007
【図６】
2005009816.tif 000008
【図７】
2005009816.tif 000009
【図８】
2005009816.tif 000010
【図９】
2005009816.tif 000011
【図１０】
2005009816.tif 000012